(57)【要約】【課題】着信履歴はすべて保存され、保存された着信履歴を着信継続時間又は呼び出し音回数に応じて表示するか否かをユーザによって選択できる電話機を提供する。【解決手段】本発明の電話機は、着信開始時点から応答又は発信者による切断までの経過時間又は呼び出し音回数を計測する着信継続時間計測部４と、着信継続時間計測部４によって計測された着信継続時間情報を含む着信履歴情報を記憶する着信履歴記憶部５と、着信履歴記憶部５に記憶された着信履歴情報を表示する表示部７と、着信履歴記憶部に記憶された着信履歴情報のうち、着信継続時間又は呼び出し音回数が所定の基準値以上の着信履歴情報だけを表示部７に表示させ、基準値未満の着信履歴情報を表示部７に表示させないように表示制御する着信履歴表示制御部８と、着信履歴表示制御部８による表示制御の設定を有効にするか無効にするかの選択を行う選択部９とを有する。【選択図】　図１
2004104626.tif 000002
【特許請求の範囲】
【請求項１】
着信時の着信履歴を保存する機能を備えた電話機において、
着信開始時点から応答又は発信者による切断までの経過時間又は呼び出し音回数を計測する着信継続時間計測部と、
前記着信継続時間計測部によって計測された着信継続時間又は呼び出し音回数からなる着信継続時間情報を含む着信履歴情報を記憶する着信履歴記憶部と、
前記着信履歴記憶部に記憶された着信履歴情報を表示する表示部と、
前記着信履歴記憶部に記憶された着信履歴情報のうち、前記着信継続時間又は呼び出し音回数が所定の基準値以上の着信履歴情報だけを前記表示部に表示させ、前記基準値未満の着信履歴情報を前記表示部に表示させないように表示制御する着信履歴表示制御部と、
前記着信履歴表示制御部による表示制御の設定を有効にするか無効にするかの選択を行う選択部と、
を有することを特徴とする電話機。
【請求項２】
前記表示部に表示させるか否かの基準となる基準値を設定する基準値設定部を有することを特徴とする請求項１に記載の電話機。
【請求項３】
着信時に発信者番号を検出する発信者番号検出部と、
着信時刻を計測するタイマと、
電話番号と名前情報とを関連づけて記憶する電話帳記憶部と、
を有し、
前記着信履歴記憶部は、前記着信継続時間計測部によって計測された着信継続時間情報と、前記発信者番号検出部によって検出された発信者番号と、前記タイマによって計測された着信時刻と、前記電話帳記憶部によって発信者番号と関連づけられた名前情報とを着信履歴情報として記憶する、
ことを特徴とする請求項１又は２に記載の電話機。
【請求項４】
着信時の着信履歴を保存する機能を備え、着信継続時間計測部と着信履歴記憶部と表示部と着信履歴表示制御部と選択部とを有する電話機の着信履歴表示方法において、
前記着信継続時間計測部によって着信開始時点から応答又は発信者による切断までの経過時間又は呼び出し音回数を計測するステップと、
前記着信継続時間計測部によって計測された着信継続時間又は呼び出し音回数からなる着信継続時間情報を含む着信履歴情報を着信履歴記憶部に記憶するステップと、
前記着信履歴記憶部に記憶された着信履歴情報を表示部に表示するステップと、
前記着信履歴記憶部に記憶された着信履歴情報のうち、前記着信継続時間又は呼び出し音回数が所定の基準値以上の着信履歴情報だけを前記表示部に表示させ、前記基準値未満の着信履歴情報を前記表示部に表示させないように、前記着信履歴表示制御部により制御するステップと、
前記着信履歴表示制御部による表示制御の設定を有効にするか無効にするかの選択を選択部により行うステップと、
を有することを特徴とする着信履歴表示方法。
【請求項５】
前記表示部に表示させるか否かの基準となる基準値を設定するステップを有することを特徴とする請求項４に記載の着信履歴表示方法。
【請求項６】
着信時の着信履歴を保存する機能を備え、着信継続時間計測部と着信履歴記憶部と表示部と着信履歴表示制御部と選択部とを有する電話機を制御するプログラムにおいて、
前記着信継続時間計測部によって着信開始時点から応答又は発信者による切断までの経過時間又は呼び出し音回数を計測する処理と、
前記着信継続時間計測部によって計測された着信継続時間又は呼び出し音回数からなる着信継続時間情報を含む着信履歴情報を着信履歴記憶部に記憶する処理と、
前記着信履歴記憶部に記憶された着信履歴情報を表示部に表示する処理と、
前記着信履歴記憶部に記憶された着信履歴情報のうち、前記着信継続時間又は呼び出し音回数が所定の基準値以上の着信履歴情報だけを前記表示部に表示させ、前記基準値未満の着信履歴情報を前記表示部に表示させないように、前記着信履歴表示制御部により表示制御する処理と、
前記着信履歴表示制御部による表示制御の設定を有効にするか無効にするかの選択を選択部により行う処理と、
をコンピュータにより実行させることを特徴とするプログラム。
【請求項７】
前記表示部に表示させるか否かの基準となる基準値を設定する処理をコンピュータに実行させることを特徴とする請求項６に記載のプログラム。
【発明の詳細な説明】
【０００１】
【発明の属する技術分野】
本発明は、電話機、着信履歴表示方法及びプログラムに関し、特に、着信履歴保存機能を備えた電話機、着信履歴表示方法及びプログラムに関する。
【０００２】
【従来の技術】
図６は従来の電話機の構成を示すブロック図である。図６に示すように、従来の電話機は、発信者番号検出部５０と、タイマ５１と、電話帳記憶部５２と、着信履歴記憶部５３と、操作部５４と、表示部５５と、通信処理部５６と、受話器５７と、送話器５８とを有する。
【０００３】
発信者番号検出部５０は、着信時に発信者の電話番号を検出するものである。
【０００４】
タイマ５１は、着信時刻を計測する時計からなる。
【０００５】
電話帳記憶部５２は電話番号と名前情報とを関連づけて記憶するものである。
【０００６】
着信履歴記憶部５３は、発信者番号検出部５０で検出された発信者番号とタイマで計測した着信時刻と電話帳記憶部５２で発信者番号と関連づけられた名前情報とを着信履歴情報として記憶するものである。着信履歴記憶部５３は、着信履歴を記憶する際には、発信者番号に関連する名前情報を参照するために電話帳記憶部５２を利用する。
【０００７】
操作部５４は、テンキーや操作キー等からなり、着信履歴記憶部５３に記憶された着信履歴や電話帳記憶部５２に記憶された電話帳情報の選択操作をしたり、通信先の番号入力や、着信操作、切断操作などを行うものである。
【０００８】
表示部５５は、着信履歴記憶部５３に記憶された着信履歴情報、電話帳記憶部５２に記憶された電話帳情報、操作部５４により入力された番号などを表示するものである。
【０００９】
通信処理部５６は、着信履歴記憶部５３に記憶された着信履歴情報、電話帳記憶部５２に記憶された電話帳情報、操作部５４により入力された番号に基づいて発信処理を行ったり、着信、通話等の処理を行うものである。
【００１０】
受話器５７は、通話中に通話相手の音声を出力するものである。
【００１１】
送話器５８は、通話中にユーザの音声を入力するものである（例えば、特許文献１参照）。
【００１２】
また、着信から発信者の切断までに要した時間あるいは呼び出し音回数をカウントし、表示器に表示するように指示する表示指示手段を設けた移動体通信端末が提案されている。この移動体通信端末によれば、電話に出なかったときにも相手がどのくらいの時間呼び出しを行ったのかが、着信履歴から容易にわかるため、相手の緊急度合いや重要度合いを推測することができる、としている（例えば特許文献２参照）。
なお、本出願時に未公開である先行技術に記載された発明であって、本願発明と関連のあるものとして、着信してから所定時間後に切断／通話に移行した場合に着信履歴を保存し、着信してから所定時間前に切断された場合に着信履歴を保存しない携帯電話機が提案されている。この従来の携帯電話機によれば、通話を意図しない着信を着信履歴として残さないようにすることができる、としている（例えば、特願２００２−７７４４２号参照）。
【００１３】
【特許文献１】
特開２００２−５７７５９号公報
【特許文献２】
特開２０００−１５１７９３号公報
【００１４】
【発明が解決しようとする課題】
従来例１では、着信してからすぐに切断されたのか、比較的長時間コールされた着信であったかを着信履歴からは判別できない。そのため、緊急性又は重要性が高い用件の着信が不在時に着信履歴に登録された場合、これを着信履歴からは識別できないという課題がある。また、着信後すぐ切断される間違い電話や、いわゆる「ワン切り」（ワンコールで着信履歴に発信者番号を残し、受信者にかけ直させて有料サービスに誘い込む行為）等のいたずら電話による着信が不在時に着信履歴に登録された場合、ユーザがうっかり返信（かけ直し）してしまうという課題がある。
【００１５】
従来例２では、着信から発信者の切断までに要した時間あるいは呼び出し音回数をカウントし、表示機に表示される。しかし、着信履歴はすべて表示されるので、着信後すぐ切断される間違い電話や、いわゆる「ワン切り」等のいたずら電話による着信が不在時に着信履歴に登録された場合、ユーザがうっかり返信してしまうという課題がある。
【００１６】
従来例３では、着信してから所定時間前に切断された場合であっても緊急性又は重要性が高い用件の着信が含まれている可能性もあるが、その場合にも着信履歴が一律に保存されないという課題がある。また、上記の間違い電話やいたずら電話が不在中にあったという事実を知ることができないという課題がある。
【００１７】
本発明は、上記課題を解決するためになされたものであり、着信履歴はすべて保存され、保存された着信履歴を着信継続時間又は呼び出し音回数に応じて表示するか否かをユーザによって選択できる電話機、着信履歴表示方法及びプログラムを提供することを目的とする。
【００１８】
【課題を解決するための手段】
本発明の電話機は、着信時の着信履歴を保存する機能を備えた電話機において、着信開始時点から応答又は発信者による切断までの経過時間又は呼び出し音回数を計測する着信継続時間計測部と、前記着信継続時間計測部によって計測された着信継続時間又は呼び出し音回数からなる着信継続時間情報を含む着信履歴情報を記憶する着信履歴記憶部と、前記着信履歴記憶部に記憶された着信履歴情報を表示する表示部と、前記着信履歴記憶部に記憶された着信履歴情報のうち、前記着信継続時間又は呼び出し音回数が所定の基準値以上の着信履歴情報だけを前記表示部に表示させ、前記基準値未満の着信履歴情報を前記表示部に表示させないように表示制御する着信履歴表示制御部と、前記着信履歴表示制御部による表示制御の設定を有効にするか無効にするかの選択を行う選択部とを有することを特徴とするものである。
【００１９】
前記表示部に表示させるか否かの基準となる基準値を設定する基準値設定部を有してもよい。
【００２０】
着信時に発信者番号を検出する発信者番号検出部と、着信時刻を計測するタイマと、電話番号と名前情報とを関連づけて記憶する電話帳記憶部とを有し、前記着信履歴記憶部は、前記着信継続時間計測部によって計測された着信継続時間情報と、前記発信者番号検出部によって検出された発信者番号と、前記タイマによって計測された着信時刻と、前記電話帳記憶部によって発信者番号と関連づけられた名前情報とを着信履歴情報として記憶してもよい。
【００２１】
本発明の着信履歴表示方法は、着信時の着信履歴を保存する機能を備え、着信継続時間計測部と着信履歴記憶部と表示部と着信履歴表示制御部と選択部とを有する電話機の着信履歴表示方法において、前記着信継続時間計測部によって着信開始時点から応答又は発信者による切断までの経過時間又は呼び出し音回数を計測するステップと、前記着信継続時間計測部によって計測された着信継続時間又は呼び出し音回数からなる着信継続時間情報を含む着信履歴情報を着信履歴記憶部に記憶するステップと、前記着信履歴記憶部に記憶された着信履歴情報を表示部に表示するステップと、前記着信履歴記憶部に記憶された着信履歴情報のうち、前記着信継続時間又は呼び出し音回数が所定の基準値以上の着信履歴情報だけを前記表示部に表示させ、前記基準値未満の着信履歴情報を前記表示部に表示させないように、前記着信履歴表示制御部により制御するステップと、前記着信履歴表示制御部による表示制御の設定を有効にするか無効にするかの選択を選択部により行うステップとを有することを特徴とするものである。
【００２２】
前記表示部に表示させるか否かの基準となる基準値を設定するステップを有してもよい。
【００２３】
本発明のプログラムは、着信時の着信履歴を保存する機能を備え、着信継続時間計測部と着信履歴記憶部と表示部と着信履歴表示制御部と選択部とを有する電話機を制御するプログラムにおいて、前記着信継続時間計測部によって着信開始時点から応答又は発信者による切断までの経過時間又は呼び出し音回数を計測する処理と、前記着信継続時間計測部によって計測された着信継続時間又は呼び出し音回数からなる着信継続時間情報を含む着信履歴情報を着信履歴記憶部に記憶する処理と、前記着信履歴記憶部に記憶された着信履歴情報を表示部に表示する処理と、前記着信履歴記憶部に記憶された着信履歴情報のうち、前記着信継続時間又は呼び出し音回数が所定の基準値以上の着信履歴情報だけを前記表示部に表示させ、前記基準値未満の着信履歴情報を前記表示部に表示させないように、前記着信履歴表示制御部により表示制御する処理と、前記着信履歴表示制御部による表示制御の設定を有効にするか無効にするかの選択を選択部により行う処理と、をコンピュータにより実行させることを特徴とするものである。
【００２４】
本発明のプログラムは、前記表示部に表示させるか否かの基準となる基準値を設定する処理をコンピュータに実行させるものでもよい。
【００２５】
本発明によれば、着信履歴はすべて保存され、保存された着信履歴を着信継続時間又は呼び出し音回数に応じて表示するか否かをユーザによって選択できる。
【００２６】
【発明の実施の形態】
以下、本発明の実施の形態について図面を参照して説明する。図１は、本発明の第１の実施形態例に係る電話機を説明するためのブロック図である。本発明の第１の実施形態例に係る電話機は、着信履歴保存機能を備えており、例えば携帯電話機、ＰＨＳ、据置型の電話機、ファクシミリ装置、携帯端末装置等に適用される。
【００２７】
図１に示すように、本発明の第１の実施形態例に係る電話機は、発信者番号検出部１と、タイマ２と、電話帳記憶部３と、着信継続時間計測部４と、着信履歴記憶部５と、操作部６と、表示部７と、着信履歴表示制御部８と、選択部９と、通信処理部１０と、受話器１１と、送話器１２とを有する。
【００２８】
発信者番号検出部１は、着信時に発信者の電話番号を検出するものである。
【００２９】
タイマ２は、着信時刻を計測する時計からなる。
【００３０】
電話帳記憶部３は電話番号と名前情報とを関連づけて記憶するものである。
【００３１】
着信継続時間計測部４は、着信開始時点から応答又は発信者による切断までの経過時間又は呼び出し音回数を計測するものである。
【００３２】
着信履歴記憶部５は、発信者番号検出部１で検出された発信者番号とタイマ２で計測した着信時刻と電話帳記憶部３で発信者番号と関連づけられた名前情報と着信継続時間計測部４によって計測された着信継続時間又は呼び出し音回数からなる着信継続時間情報とを着信履歴情報として記憶するものである。
【００３３】
着信履歴記憶部５は、着信履歴情報を記憶する際には、発信者番号に関連する名前情報を参照するために電話帳記憶部３を利用する。
【００３４】
操作部６は、テンキーや操作キー等からなり、着信履歴記憶部５に記憶された着信履歴情報や電話帳記憶部３に記憶された電話帳情報の選択操作を行ったり、通信先の番号入力操作、着信操作、切断操作などを行うものである。
【００３５】
表示部７は、着信履歴記憶部５に記憶された着信履歴情報や電話帳記憶部３に記憶された電話帳情報、操作部６により入力された番号などを表示するものである。
【００３６】
着信履歴表示制御部８は、着信履歴記憶部５に記憶された着信履歴情報のうち、着信継続時間又は呼び出し音回数が所定の基準値以上の着信履歴情報だけを表示部７に表示させ、基準値未満の着信履歴情報を表示部７に表示させないように表示制御するものである。
【００３７】
選択部９は、着信履歴表示制御部８による表示制御の設定を有効にするか無効にするかの選択を行うものである。
【００３８】
通信処理部１０は、着信履歴記憶部５に記憶された着信履歴情報、電話帳記憶部３に記憶された電話帳情報又は操作部６により入力された番号に基づいて発信処理を行ったり、着信、通話等の処理を行うものである。
【００３９】
受話器１１は、通話中に通話相手の音声を出力するものである。
【００４０】
送話器１２は、通話中にユーザの音声を入力するものである
なお、着信履歴表示制御部８において表示部７に表示させるか否かの基準となる基準値は、予め固定されていてもよく、又は基準値設定部１３により数値を変更できるようにしてもよい。
【００４１】
図２は、着信履歴記憶部５に記憶された着信履歴情報を、表示部７に表示したときの表示内容の一例を説明する説明図である。図３に示すように、表示部７には、着信時刻７ａ、着信種別７ｂ、着信継続時間（又は呼び出し音回数）７ｃ、名前情報７ｄ、発信者番号７ｅが表示される。このように表示部７には、着信履歴ごとの着信継続時間（又は呼び出し音回数）７ｃが表示される。なお、図３に示す表示部７の表示内容及びレイアウトは例示であり、これに限定されるものではない。
【００４２】
図３及び図４は、本発明の第１の実施形態例に係る電話機の動作を説明するためのフローチャートであり、図３は着信履歴情報を記憶する動作を説明するためのフローチャートである。
【００４３】
まず、着信が発生すると通信処理部１０によって着信動作を開始し（ステップＡ１）、着信継続時間計測部４によって着信継続時間の計測を開始する（ステップＡ２）。また、タイマ２によって着信時刻を計測する（ステップＡ３）。発信者番号検出部１では発信者番号を検出して表示部７に表示し（ステップＡ４）、電話帳記憶部５を参照（ステップＡ５）して発信者番号に関連づけされた名前情報がある場合にはこれも表示部７に表示する。
【００４４】
操作部６によって着信呼に応答、切断または転送の操作を行った場合は着信種別を通常着信、発信者によって切断された場合は着信種別を不在着信と識別し、通信処理部１０は着信動作を終了し（ステップＡ６）、着信継続時間計測部４による着信継続時間の計測を完了する（ステップＡ７）。
【００４５】
ステップＡ３で計測した着信時刻と、ステップＡ４で検出した発信者番号と、ステップＡ５で参照した名前情報と、ステップＡ６で識別した着信種別と、ステップＡ７で計測した着信継続時間情報とを着信履歴情報として、着信履歴記憶部５に記憶する（ステップＡ８）。
【００４６】
図４は、着信履歴情報を表示部７に表示する動作を説明するためのフローチャートである。操作部６の操作によって着信履歴表示要求があったとき、着信履歴表示制御部８は、次の動作を行う。
【００４７】
すなわち、着信履歴記憶部５から着信履歴を検索する（ステップＢ１）。ステップＢ１で表示候補となる着信履歴があるか否かの判定を行い（ステップＢ２）、見つからなかった場合はエラー表示を行い（ステップＢ６）、処理を終了する。
【００４８】
ステップＢ２で表示候補となる着信履歴があった場合は、着信履歴表示制御部８の表示制御が選択部９により有効に設定されているか、無効に設定されているかを調べる（ステップＢ３）。ステップＢ３で着信履歴表示制御部８の表示制御が無効に設定されている場合は無条件に着信履歴を表示する処理（ステップＢ５）へ進み、表示制御が有効に設定されている場合は、その着信履歴の着信継続時間又は呼び出し音回数が基準値以上かを調べる（ステップＢ４）。
【００４９】
ステップＢ４で着信継続時間又は呼び出し音回数が基準値未満であった場合は、この着信履歴の表示をスキップし、ステップＢ１に戻って次の着信履歴を検索する。
【００５０】
ステップＢ４で着信継続時間又は呼び出し音回数が基準値以上であった場合は、その着信履歴を表示する（ステップＢ５）。
【００５１】
本発明の第１の実施形態例によれば、着信履歴はすべて保存され、保存された着信履歴を着信継続時間又は呼び出し音回数に応じて表示するか否かをユーザによって選択できる。従って、着信継続時間又は呼び出し音回数が基準値を満たさない着信履歴を表示部７に表示させないことができるので、着信後すぐ切断される間違い電話や、いわゆる「ワン切り」等のいたずら電話等の着信履歴を参照して返信してしまうことを未然に防止することができる。
【００５２】
また、着信してから所定時間前に切断された着信履歴を表示部に表示することも可能であるため、重要性又は緊急性の高い着信履歴を含めて漏らすことなく表示でき、上記の間違い電話やいたずら電話が不在中にあったという事実も知ることができる。
【００５３】
図５は、本発明の第２の実施の形態を説明するためのブロック図である。図５に示すように、本発明の第２の実施の形態は、第１の実施の形態で説明された電話機の動作をコンピュータに実行させるためのプログラム１４に関する。このプログラム１４は、磁気ディスク、ＣＤ−ＲＯＭ等の光ディスク、半導体メモリ等の記録媒体に記録されていてもよく、通信ネットワークを介してダウンロードされるものでもよい。
【００５４】
本発明は、上記実施の形態に限定されることはなく、特許請求の範囲に記載された技術的事項の範囲内において、種々の変更が可能である。
【００５５】
【発明の効果】
本発明によれば、着信履歴はすべて保存され、保存された着信履歴を着信継続時間又は呼び出し音回数に応じて表示するか否かをユーザによって選択できる。従って、着信継続時間又は呼び出し音回数が基準値を満たさない着信履歴を表示部に表示させないことができるので、着信後すぐ切断される間違い電話や、いわゆる「ワン切り」等のいたずら電話等の着信履歴を参照して返信してしまうことを未然に防止することができる。
【００５６】
また、着信してから所定時間前に切断された着信履歴を表示部に表示することも可能であるため、重要性又は緊急性の高い着信履歴を漏らすことなく表示でき、上記の間違い電話やいたずら電話が不在中にあったという事実も知ることができる。
【図面の簡単な説明】
【図１】本発明の第１の実施形態例に係る電話機を説明するためのブロック図である。
【図２】着信履歴記憶部に記憶された着信履歴を、表示部に表示したときの表示内容の一例を説明する説明図である。
【図３】着信履歴情報を記憶する動作を説明するためのフローチャートである。
【図４】着信履歴情報を表示部に表示する動作を説明するためのフローチャートである。
【図５】本発明の第２の実施の形態を説明するためのブロック図である。
【図６】従来の電話機の構成を示すブロック図である。
【符号の説明】
１：発信者番号検出部
２：タイマ
３：電話帳記憶部
４：着信継続時間計測部
５：着信履歴記憶部
６：操作部
７：表示部
８：着信履歴表示制御部
９：選択部
１０：通信処理部
１１：受話器
１２：送話器
１３：基準値設定部
１４：プログラム
【図１】
2004104626.tif 000003
【図２】
2004104626.tif 000004
【図３】
2004104626.tif 000005
【図４】
2004104626.tif 000006
【図５】
2004104626.tif 000007
【図６】
2004104626.tif 000008